(57)【要約】【課題】ブロー金型からのブローエアの回収によって動作される装置のブロー金型内で容器を成形するための新規な方法および装置を提供すること。【解決手段】本発明は、動作工程が、低圧Ｐ１を伴うプレブローステージ２８とそれぞれが更に高い圧力Ｐｉ、Ｐ２、Ｐ２’を伴う少なくとも２つの更なるブローステージ２９、３０、３０’とにおいて連続的に達成され、その後、幾つかの圧力ステージを伴う回収段階３２では、それぞれのブロー金型からエアが供給される方法において、少なくともプレブローステージの後の圧力ステージ２９に割り当てられる容積部９への給気よりも優先して、ブロー金型からのエアが最初にプレブローステージ２８に割り当てられる容積部８に供給されることを特徴とする。装置は、ブロー制御器ＣＵと、容積部８内の圧力のための制御手段とを備える。【選択図】図２
2011056944.tif 000002
【特許請求の範囲】
【請求項１】
複数のブロー金型（Ｂ）からのブローエアの回収を伴って動作される装置（Ｍ）の前記複数のブロー金型内で容器（４０）をブロー成形するための方法であって、
動作工程が、低圧（Ｐ１）を伴うプレブローステージ（２８）と、それぞれが更に高い圧力（Ｐｉ、Ｐ２、Ｐ２’）を伴う少なくとも２つの更なるブローステージ（２９、３０、３０’）とにおいて連続的に行われ、
その後、回収段階（３２）では、それぞれ異なって低い圧力（３３、３４、３５）の連続した複数の圧力ステージ（Ｒ１−Ｒ３）において、前記ブロー金型（Ｂ）から、それぞれが前記複数のブロー金型（Ｂ）の全てに共通の別個独立の容積部（８、９）内にエアが供給される、方法において、
前記回収段階（３２、３２’）では、時間的に最初に、前記ブロー金型（Ｂ）からのエアが低圧の前記ブローステージ（２８、２９）に割り当てられる少なくとも１つの容積部（８、９）に供給され、その後、エアが更に高圧の前記ブローステージに割り当てられる容積部に供給されることを特徴とする、方法。
【請求項２】
前記回収段階（３２、３２’）において、前記ブロー金型（Ｂ）のそれぞれからのエアが、少なくとも前記プレブローステージ（２８）の後の、または更に高圧の前記圧力ステージ（２９、３０、３０’）に割り当てられる１つの容積部（９）への供給に先立って、前記プレブローステージ（２８）に割り当てられる容積部（８）へ最初に供給され、好ましくは、前記容積部には、更に高い圧力ポテンシャル、好ましくは前記圧力（Ｐ１）の少なくとも２倍の圧力ポテンシャルが形成されることを特徴とする、請求項１に記載の方法。
【請求項３】
前記ブロー金型（Ｂ）のそれぞれからのエアが、少なくとも最も高い低圧（３３）の前記回収段階圧力ステージ（Ｒ１）中に、または好ましくは次に低い圧力（３４）の前記回収圧力ステージ（Ｒ２）中に、前記プレブローステージ（２８）に割り当てられる前記容積部（８）へ供給されることを特徴とする、請求項１に記載の方法。
【請求項４】
少なくとも前記プレブローステージ（２８）に割り当てられる前記容積部（８）への優先エア供給が時間的に制限される一方、前記容積部（８）内で生じる圧力が、好ましくは前記圧力（Ｐ１）の約２〜５倍、好ましくは３〜５倍に対応する圧力値に至るまで監視されることを特徴とする、請求項１に記載の方法。
【請求項５】
前記プレブローステージに割り当てられる前記容積部（８）への優先エア供給により、前記容積部には、前記プレブローステージ（２８）中に前記ブロー金型（Ｂ）への臨界流れの少なくとも大部分を排除する前記圧力（Ｐ１）に関連する圧力が形成されることを特徴とする、請求項１に記載の方法。
【請求項６】
前記プレブローステージ（２８）の後の中間ブローステージである前記ブローステージ（２９）において、動作工程が、前記プレブローステージ（２８）の期間よりも短い期間にわたって、前記圧力（Ｐ１）の約１．５〜３倍、好ましくは約２倍の圧力（Ｐｉ）で行われることを特徴とする、請求項１〜５のいずれか一項に記載の方法。
【請求項７】
前記ブローステージ（３０、３０’）における圧力（Ｐ２、Ｐ２’）が約１０ｂａｒ〜３５ｂａｒ、好ましくは２８ｂａｒ〜３５ｂａｒに制限されることを特徴とする、請求項１〜６のいずれか一項に記載の方法。
【請求項８】
前記中間ブローステージ（２９）に割り当てられる前記容積部（９）が、前記プレブローステージに割り当てられる前記容積部（８）が給気される最中に、前記給気された圧力ステージ（Ｒ１、Ｒ１’）よりも次に低い圧力（３４）に至る少なくとも１つの回収段階圧力ステージ（Ｒ２）中に給気されることを特徴とする、請求項１〜７のいずれか一項に記載の方法。
【請求項９】
圧力（Ｐ１、Ｐｉ、Ｐ２）を伴う３つのブローステージ（２８、２９、３０）でのブロー成形中において、前記プレブローステージ（２８）に割り当てられる前記容積部（８）には、前記回収段階圧力ステージ（Ｒ１）中に最も高い低圧（３３）で一次的にのみ給気されることを特徴とする、請求項１〜８のいずれか一項に記載の方法。
【請求項１０】
圧力（Ｐ１、Ｐｉ、Ｐ２、Ｐ２’）を伴う少なくとも４つのブローステージ（２８、２９、３０、３０’）でのブロー成形中において、前記プレブローステージ（２８）に割り当てられる前記容積部（８）には、２つの最も高い回収段階圧力ステージ（Ｒ１’、Ｒ１）のうちの一方のステージ中に一次的に給気されることを特徴とする、請求項１〜９のいずれか一項に記載の方法。
【請求項１１】
複数のブロー金型（Ｂ）からのエアの回収を伴って動作される、前記複数のブロー金型内で容器（４０）をブロー成形するための装置（Ｍ）であって、
プレブローステージ（２８）および少なくとも２つの更なるブローステージ（２９、３０、３０’）に割り当てられ、主供給源（３）に接続され得る、それぞれが前記複数のブロー金型（Ｂ）の全てに共通の別個独立の容積部（８、９、１０、１０’）と、
前記容積部（８、９、１０、１０’）と前記ブロー金型（Ｂ）の各々との間の選択的に作動される切り換え弁（１１、１３、１５、１５’）と、
プログラム可能な電子ブロー制御器（ＣＵ）および少なくとも前記プレブローステージ（２８）に割り当てられる容積部（８）内に広がる圧力のための圧力制御手段（Ｆ）と
を有する装置（Ｍ）において、
前記ブロー制御器（ＣＵ）が、より高圧の前記ブローステージ（２９または３０）に先立って前記プレブローステージ（２８）に割り当てられる前記容積部（８）内へそれぞれの前記ブロー金型（Ｂ）からエアを供給するとともに、前記プレブローステージ（２８）に割り当てられる前記容積部（８）内の圧力（Ｐ１）よりも高い圧力を形成するためのプログラムセクション（Ｓ）を備えることを特徴とする装置。
【請求項１２】
前記切り換え弁（１１）、好ましくはカム動作またはマグネット動作（Ｚ）を伴う２／２方向切り換え弁の上流側または下流側、または、前記切り換え弁（１１）内に、スロットル弁（１２）が前記ブロー制御器（ＣＵ）を介して配置されることを特徴とする請求項１１に記載の装置。
【請求項１３】
前記スロットル弁（１２）、好ましくは調整可能なスロットル弁が、前記ブロー金型（Ｂ）へ向かう流れ方向で閉まる一方向リストリクタ（１２’）に配置され、または、前記ブロー金型（Ｂ）へ向かって閉まり、前記プレブローステージに割り当てられる容積部（８）へ向かう流れ方向でほぼ無制限の大きな断面を開通させる逆止弁（１２’）によってバイパスされ得ることを特徴とする、請求項１２に記載の装置。
【請求項１４】
前記容積部（８、９、１０、１０’）が、好ましくはリングチャンネルの形態を成して、前記ブロー成形プロセス中に回転する装置部分（２４’）に配置されることを特徴とする、請求項１１に記載の装置。
【請求項１５】
前記主供給源（３）と前記プレブローステージ（２８）に割り当てられる前記容積部（８）との間には、前記ブロー金型（Ｂ）から前記容積部（８）内へのエアの優先供給によって形成され得る圧力とほぼ同じ圧力に調整される圧力制御弁（５）が配置されることを特徴とする、請求項１１に記載の装置。
【発明の詳細な説明】
【技術分野】
【０００１】
本発明は、請求項１の前文に係る方法、および、請求項１１の前文に係る装置に関する。
【背景技術】
【０００２】
独国特許第１０  ２００４  ０１４  ６５３  Ａ号から知られる方法では、回収段階において、それぞれのブロー金型からのエアが、プレブローステージよりも高圧のブローステージに割り当てられるボリューム部ないしは容積部（ｖｏｌｕｍｅ）へ最初に供給され、その後においてのみ、該容積部からプレブローステージに割り当てられる容積部に給気され、その圧力はプレブローステージにおける圧力に制御される。プレブローステージの後の更に高圧のブローステージは約３０ｂａｒの相対的に高い圧力にまでおよび、一方、最も高圧のブローステージは約４０ｂａｒの非常に高い圧力にまで及ぶ。それぞれのブロー金型からのエアは、プレブローステージの後のブローステージの圧力にほぼ対応する圧力に至るまで、回収段階の最高圧ステージにおける容積部のみへ供給される一方、動作エアストレージは回収段階の次の圧力ステージで給気される。最高圧のブローステージの高い圧力が望ましくない高いエネルギ需要を必要とするという事実は別として、二次的に給気されるプレブローステージのために使用できる圧力は不適切に低い。吹き込みプロセス中に、給気およびプレボローステージに起因してプレブローステージに割り当てられる容積部で圧力変化が必然的に起こるため、また、プレブローステージに割り当てられる容積部内の圧力ポテンシャルが低いため、プレブローステージには極めて望ましくない変動がある。プレブローステージは、場合によりその後のブローステージでそれ以上ほとんど変化しない温度プロファイルに応じて、予備成形体における材料分布を既に明確に決定する。その結果、前述した変動は、ブロー成形された容器の容積の満足できない不変性および／または容器の不均一な個々のセグメント重量をもたらす。プレブローステージに割り当てられる容積部の圧力ポテンシャルが低いだけであると、プレブローステージ中にエアフローが更に臨界未満になる可能性がある。したがって、回収段階中に給気によって生じるプレブローステージに割り当てられる容積部内の圧力変化に起因して、プレブローステージ容積部流量を正確に再現できるように調整することができない。結果として、プレブローステージで生じる変動に起因して、ブロー成形された容器の一定の品質を確保することができない。
【０００３】
欧州特許出願第１  ９  ２２  ２０６号から知られる方法では、回収段階において、幾つかのコンシューマに共通の容積部が、該容積部内に約１７ｂａｒの比較的低い圧力を形成することによって最初に一次的に給気され、また、プレブローステージに割り当てられる容積部が二次的にのみ給気され、該容積部内には、プレブローステージにおける非常に低い圧力ポテンシャルが強制的に形成されて、その結果、前述した欠点がもたらされる。この既知の方法でも、プレブローステージの後のブローステージが約１８ｂａｒの比較的高い圧力に至るまで行なわれる一方、最高圧のブローステージでは、極めて高いエネルギ需要を必要とする最大４０ｂａｒの圧力を伴って動作工程（オペレーション）が行なわれる。
【０００４】
カスケードの態様で圧力形成を伴う独国特許第１０  ２００７  ０１５  １０５  Ａ号から知られる方法では、ブロー金型のリリーフにおける最低圧力ステージが、回収段階におけるプレブローステージのための容積部内での圧力形成のために使用され、そのため、前述した欠点を伴うプレブローステージに割り当てられる容積部内での比較的低い圧力ポテンシャルがもたらされる可能性がある。プレブローステージが最終ブローステージの第１の圧力形成ステップとして具現化される場合には、プレブローステージが最終ブローステージのカスケード状圧力形成に組み込まれる。具体的には、プレブロー圧力が個々のストレージから形成され、また、プロセスにおいて、最低リリーフステージから生じるブロー金型からの圧縮ガスの一部がプレブロー圧力を満たすために使用される。しかしながら、プレブローステージが、それぞれが幾つかの別個のストレージからのものである幾つかの圧力形成ステップを伴う最終ブローステージとして具現化される場合には、最終ブローステージの最低圧リリーフステップがプレブローステージの圧力形成のために使用される。
【発明の概要】
【発明が解決しようとする課題】
【０００５】
本発明に内在する目的は、冒頭で言及されたタイプの方法および装置であって、ブロー成形された容器、特にプラスチックボトルの一定の高品質を確保できる方法および装置を提供することである。
【課題を解決するための手段】
【０００６】
この目的は、特許請求項１の特徴および特許請求項１１の特徴によって達成される。
【０００７】
より圧力が高いブローステージのための容積部の前に、または、いかなる場合でもなお一層圧力が高いブローステージの容積部よりも時間的に前に、最初にプレブローステージのための容積部に給気することによって、事前吹き込み中の圧力変化の可能性が極めて低くなり、またはもはや存在しなくなり、したがって、ブロー成形された容器の容積および容器の個々のセグメント重量の高い不変性が確保される。
【０００８】
好ましい方法の変形例において、回収段階で、プレブローステージのための容積部には、より圧力が高いブローステージの容積部よりも時間的に前に給気がなされる。より圧力が高いブローステージのための容積部の給気の初めに、プレブローステージのための容積部の給気が更に継続することができ、またはこの給気を特定の期間にわたって同時に達成することができる。
【０００９】
この方法にしたがって、プレブローステージに割り当てられる容積部に対して、回収段階でおよびその回収段階の少なくとも１つの相対的に高い圧力ステージにおいてのみ、少なくとも１つの更なる容積部が給気される前または後にブロー金型からエアが一次的に供給される場合には、プレブローステージに割り当てられる容積部内に、有益な圧力ポテンシャル、例えばプレブローステージ中にブロー金型または予備成形体でそれぞれ形成される圧力と比べて相対的に高い圧力をもたらすことができ、それにより、プレブローステージに割り当てられる容積部内での避けられない圧力変化は、プレブローステージにもはや影響を及ぼすことができず、または、最大限でも明らかに減少された影響を及ぼし得るにすぎない。高い圧力ポテンシャルまたは高い圧力のそれぞれの結果、比較的小さいスロットル弁を使用でき、それにより、プレブローステージ圧力およびプレブロー量が正確に再現可能で、とりわけ全てのプレブローステージにおいてほぼ一定のままとなるようにプレブローステージにおいて動作工程が行なわれる。結果として、同等のプレブローステージによって一定品質のブロー成形容器が確保される。同様に、プレブローステージの後のブローステージにおける容積部に対しては、高い不変性をもって予備成形体を更に形成するために、更に高圧のブローステージにおける容積部に先立って給気することができる。
【００１０】
定義によれば、ブロー金型からのエアとは、ブロー金型内に配置される容器から生じるエアを意味する。
【００１１】
いわば、ブロー金型からプレブローステージに割り当てられる容積部内へエアを一次的に供給することによる更に高圧のブローステージへ向かう回収段階で、更に高圧のブローステージの更なる容積部に給気するために使用される、圧力ステージをスキップするという策略を用いると、常に高い最終品質を達成するため圧力変化とほぼ無関係な一定状態下でプレブローステージが装置内で成される。圧力制御装置と協働して、ブロー制御器のプログラムセクションは、プレブローステージに割り当てられる容積部内に十分に高い圧力ポテンシャルを常に与え、それにより、全てのプレブローステージにおいて一定の品質レベルが確保される。ブロー制御器のプログラムセクションが例えば少なくとも１つの更に高圧のブローステージにおける更なる容積部へのエア供給を二次的にのみ制御する場合には、これは、プレブローステージに割り当てられる容積部内の圧力ポテンシャルに対して何ら影響を及ぼさない。プレブローステージでは、プレブローステージに割り当てられる容積部内の圧力ポテンシャルまたは該容積部の圧力レベルが優先供給のおかげによって十分に高いため、不適切に大きいスロットル弁を扱う必要がなく、プレブローステージ圧力およびプレブローステージエア量にとって最適な小さいスロットル弁を選択することができ、それにより、常流の可能性が非常に低くなり、または排除されることさえある。
【００１２】
適した方法の変形例において、それぞれのブロー金型からのエアは、エアが少なくとも１つの更なる容積部へも供給される前の少なくとも回収段階圧力ステージ中に、プレブローステージに割り当てられる容積部へ最も高い低圧で供給される。幾つかのブローステージおよび幾つかのリリーフ圧力ステージが使用される場合、エアは、もう１つの方法として、次に低い圧力の回収段階圧力ステージ中にプレブローステージのための容積部内に供給されるのが好ましい。好ましくは、この供給は、必ずしもリリーフ圧力ステージの全期間にわたって行なわれる必要はなく、所望の高い圧力ポテンシャルがプレブローステージに割り当てられる容積部内で確実に得られるように時間的に規定される。
【００１３】
プレブローステージに割り当てられる容積部へのエア供給が時間的に適切に制限される一方、該容積部で生じる圧力は、プレブローステージ圧力の約２〜５倍または３〜５倍にほぼ対応する圧力値に至るまで監視されるのが好ましい。
【００１４】
他の適した方法の変形例では、プレブローステージに割り当てられる容積部への優先エア供給により、該容積部において、プレブローステージ中にブロー金型への常流を排除するプレブローステージ圧力に関連する圧力が形成される。このようにすると、プレブローステージにおける常流が積極的に防止される。さもなければ、プレブローステージに割り当てられる容積部内の圧力の変化がブロー金型に影響を及ぼす可能性がある。
【００１５】
更なる適した方法の変形例では、プレブローステージの後の中間ブローステージであるブローステージにおいて、プレブローステージ圧力の１．５〜３倍、好ましくは約２倍に相当する圧力のみが使用される。相対的に低い圧力に至るまで行われるこの中間ブローステージでは、エネルギが節約され、また、プレブローステージで随意的に幾分膨張されてプロセスで機械的に延伸された予備成形体が、容器のサイズへ比較的急速に至らされるが、未だその細部を形成するには至っていない。これは、その後の更に高圧のブローステージを相対的に低い最大圧に至るまで行なって容器をうまく形成して安定させることができるという利点を与える。しかしながら、相対的に低い最大圧力は、ブロープロセスにおいてかなりの量のエネルギを節約する。
【００１６】
ブローステージにおける圧力は、約１０ｂａｒ〜３５ｂａｒ、好ましくは２８ｂａｒ〜３５ｂａｒの最大圧力に制限されることが適切であり、その結果、従来技術において一般的な４０ｂａｒにまで至る最大圧力を考慮すると、エネルギがかなり節約される。
【００１７】
本方法によれば、プレブローステージに割り当てられる容積部に対して一次的に給気される圧力ステージよりも低い圧力で動作される少なくとも１つの回収段階圧力ステージ中に、それぞれのブロー金型からのエアを中間ブローステージに割り当てられる容積部へ二次的に供給することができる。
【００１８】
異なって高い圧力の３つのブローステージを伴うとともにそれに対応して多くのリリーフ圧力ステージを伴うブロー成形プロセス中において、プレブローステージに割り当てられる容積部には、回収段階圧力ステージ中にのみ低圧のうちの最も高い低圧で給気がなされる。他の容積部または他のコンシューマ、例えば工場の圧縮エア配管システムに給気するために、圧力ステージまたは低圧のうちの更に低い圧力の圧力ステージを利用できる。
【００１９】
異なって高い圧力の４つ以上のブローステージを伴うブロー成形プロセスでは、最も高い回収段階圧力ステージのうちの１つのステージ中に、プレブローステージに割り当てられる容積部が一次的に給気され、また、二次的に、次に低い圧力ステージが他の容積部または他のコンシューマに給気するために使用される。最も高い圧力ステージは、例えば第２のブローステージの容積部に給気するために使用することができ、次に低い圧力ステージは、プレブローステージの容積部に給気するために使用することができ、また、その次に低い圧力ステージは、更に高圧のブローステージの１または複数の容積部に給気するために使用できる。
【００２０】
装置においては、スロットル弁を、切り換え弁の上流側または下流側に、もしくは、切り換え弁内に配置することができる。切り換え弁は、ブロー制御器を介したカム動作またはマグネット動作を伴う２／２方向切り換え弁であることが好ましい。
【００２１】
スロットル弁は、プレブローステージでのプロセス流れをそれぞれの要求に合わせて個別に調整できるように調整可能なスロットル弁であることが好ましい。スロットル弁は、ブロー金型へ向かう流れ方向で閉まる一方向リストリクタに配置され、または、ブロー金型へ向かって閉まり、プレブローステージに割り当てられる容積部へ向かう流れ方向で少なくともほぼ無制限の大きな断面を開通させる逆止弁によってバイパスされる。それにより、プレブローステージにおいて必要とされるスロットル弁は、それぞれのブロー金型からプレプローブステージに割り当てられる容積部へのエアの優先供給に何ら影響を及ぼさず、そのため、必要とされる高い圧力ポテンシャルを形成するに際して、スロットル損失が回避されるとともに、いずれの場合にも比較的短い期間で十分である。
【００２２】
ブロー金型への長い流路およびそれに伴う流れの影響を回避するため、ブロー成形プロセス中に回転する装置部分に容積部を配置することが適切である。好ましくは、容積部がリングチャンネルの形状を成し、該リングチャンネルには装置のブロー金型を容易に接続することができる。最大で５０個以上のブロー金型を装置で使用できる。
【００２３】
装置の開始時でも少なくともプレブローステージにおいて最適な状態を既に達成するために、圧縮エアを伴う主供給源とプレブローステージに割り当てられる容積部との間に、それぞれのブロー金型からのエアの優先供給によって形成され得る圧力とほぼ同じ圧力に調整される圧力制御弁を配置することが適切となり得る。この圧力は、プレブローステージ圧力の倍数に相当し得るが、通常は装置の始動段階でのみ形成されなければならない。これは、ブロー金型のステージ単位のリリーフによるエア回収のおかげにより主供給源とは無関係に、少なくともプレブローステージにおいて、場合により少なくとも次に高圧のブローステージにおいて、装置を動作させることができるからである。
【００２４】
図面を参照して、本発明の主題の実施形態について説明する。
【図面の簡単な説明】
【００２５】
【図１】焼き戻された予備成形体から容器、特にプラスチックボトルをブロー成形するための装置の一実施形態の概略ブロック図を示しており、第２の実施形態が破線で示されている。
【図２】図１に示される装置の第１の実施形態におけるブロー成形プロセスに関して更に図解して説明するプロセス図を示している。
【図３】図１に破線で示される装置の第２の実施形態で行なわれるブロー成形プロセスの概略プロセス図を示している。
【発明を実施するための形態】
【００２６】
図１において、実線で示される第１の実施形態の装置Ｍ（ブロー成形機）は、回転装置部分２４’の分配部４に対して回転伝達リードスルー２４を介して接続される主供給源３、例えばコンプレッサまたは圧縮エアストレージを備える。分配部４からは、幾つかの平行な導管が、圧力制御弁５、６、７を介して、幾つかのブローステージに対して割り当てられる容積部８、９、１０へ分岐する。容積部８、９、１０は、回転装置部分２４’にリングチャンネルの形態を成して適切に設けられるとともに、それぞれが更なる分配部１７、例えば各ステーション（図示せず）の分配器の部分に対して切り換え弁（カム動作またはマグネット動作Ｚなどの機械的な動作を伴う２／２方向切り換え弁）を介して別々に接続され、該分配部には、装置Ｍに設けられる幾つかのブロー金型のうちの１つのブロー金型Ｂがそれぞれ導管１８を介して接続される。最大で３６個またはそれ以上のブロー金型Ｂを用いることができる。
【００２７】
圧力制御弁５、容積部８、および、切り換え弁１１は、例えば、Ｐ１の圧力以下で動作するプレブローステージに割り当てられる。圧力制御弁６、容積部９、および、切り換え弁１３は、更なるブローステージ、ここでは最大圧力Ｐｉの中間ブローステージに割り当てられる。最後に、圧力制御弁７、容積部１０、および、切り換え弁１５は、圧力Ｐｉおよび圧力Ｐ１よりも高い圧力Ｐ２の更なるブローステージに割り当てられる。少なくとも切り換え弁１１には、切り換え弁１１の上流側または下流側あるいは該切り換え弁内に配置できるスロットル弁１２が設けられる。プレブローステージのためのスロットル弁１２は、一方向リストリクタ１２’に配置され、または、ブロー金型Ｂへ向かう流れ方向で閉まり、容積部８へ向かう流れ方向でほぼ無制限の大きな断面を開通させる逆止弁１２’によってバイパスされ得る。随意的に、スロットル弁１４、１６を切り換え弁１３、１５に設けることもできる。
【００２８】
プログラム可能な、またはプログラムされた電子ブロー制御器ＣＵが、吹き込みプロセスおよび少なくとも切り換え弁１１、１３、１５のための制御器としての役目を果たす。ブロー制御器ＣＵは、例えばプログラムセクションＳを含み、該プログラムセクションは、例えばエアがブロー金型Ｂから分配部１７および切り換え弁１３を介して容積部９へも二次的に供給される前に、回収段階でのブロープロセスにおいて、エアをそれぞれのブロー金型Ｂから切り換え弁１１および逆止弁１２’を介してプレブローステージに割り当てられる容積部８へ一次的に、または最初に供給する。圧力制御手段Ｆ、例えば圧力センサまたは圧力ゲージが少なくとも容積部８のために設けられており、該圧力制御手段は、ブロー制御器ＣＵと信号伝送接続を成すとともに、容積部８内の圧力または圧力ポテンシャルを制御し、それにより、ブロー制御器ＣＵは、ブロー金型Ｂの回収段階で所望の圧力ポテンシャルまたは圧力が容積部８内で得られるまでの期間を圧力に応じて正確に調整することができ、その期間中に切り換え弁１１が開放するように調整される。
【００２９】
また、コンシューマ１９へ向かう導管２０が分配部１７に接続されており、この導管は、例えばそれぞれのブロー金型Ｂのための延伸装置または工場の圧縮エア配管システムであり、該圧縮エア配管システムからは、例えば主供給源３のコンプレッサを供給できる。導管２０には、切り換え弁２１、該切り換え弁に割り当てられて分配部１７ヘと向かう流れ方向で閉じる逆止弁２２、および、更なる容積部２３が配置される。更に、大気への排気サイレンサ２６を有する切り換え弁２５が分配部１７に接続される。
【００３０】
図１を参照してここまで説明した装置Ｍの実施形態では、図２に示されるブロープロセスが、例えば、３つのブローステージ（プレブローステージ２８、中間ブローステージ２９、および、最も高圧のブローステージ３０）と幾つかの圧力ステージＲ１、Ｒ２、Ｒ３における回収段階３２とを伴って切り換え弁１１、１３、１５、２１、２５によりブロー金型Ｂ内で行なわれて制御される。３６では、エアが大気中へ吹き出される。
【００３１】
図１には、装置Ｍの第２の実施形態が更に破線で示されており、それにより、図３に示されるブロープロセスを、４つ（あるいは、それ以上）のブローステージ（それぞれが異なって高い圧力Ｐ１、Ｐｉ、Ｐ２、Ｐ２’を伴うプレブローステージ２８、中間ブローステージ２９、高ブローステージ３０、および、最終ブローステージ３０’）と、例えばそれぞれが異なって低い圧力の全体で５つの圧力ステージＲ１’、Ｒ１、Ｒ２等を有する回収段階３２とを伴って行なうことができる。第２の実施形態では、最も高圧のブローステージ３０’のための更なる切り換え弁１５’（随意的にスロットル弁１６’を有する）、割り当てられる容積部１０’、および、圧力制御弁７’が図３で与えられる。他の導管２０’が分配部１７からコンシューマ１９へ分岐し、この導管には、切り換え弁２１’、逆止弁２２’、および、更なる容積部２３’が設けられる。
【００３２】
図２のプロセス図は、ブロー金型Ｂ内の圧力の経時的な進行を曲線Ｃで示している。プレブローステージ２８は、図１の切り換え弁１１を図示の閉止位置から通過位置へ切り換えることにより制御され、所定の期間にわたって及ぶとともに、一定に維持されるプレブローステージ圧力Ｐ１で終了する。その後、切り換え弁１１が再び閉止位置に至らされる。プレブローステージでは、ブロー金型Ｂ内に導入されて特定の温度プロファイルを備える予備成形体Ｐが僅かに膨張されて好ましくは延伸ロッド３９によって軸方向に機械的に延伸される。予備成形体Ｐは、プレブローステージ２８後に、ブロー金型Ｂの内壁に未だ完全に、または全く到達していない。
【００３３】
中間ブローステージ２９は、切り換え弁１３を図示の閉止位置から通過位置へ切り換えることにより容積部９からのエアを用いて始められる。中間ブローステージ２９において、予備成形体Ｐは、所定時間にわたって圧力Ｐｉになるまで、最終的な細部を作り上げることなく、形成されるべき容器４０のサイズにまでほぼ至らされる。ブロー金型Ｂ内が圧力Ｐｉに達すると直ぐに、切り換え弁１３が図示の閉止位置に至らされる。その後のブローステージ３０は、切り換え弁１５を図示の閉止位置から図１の通過位置へ切り換えることによって開始され、圧力Ｐ２（最終吹き込み）に達するまでブロー制御器ＣＵにより所定期間にわたって行なわれる。その後、圧力Ｐ２が曲線部３１に沿って維持される。なお、ここでの圧力を比較的低くして３０ｂａｒ以下にすることができることに留意されたい。曲線部３１の最後に（ブローステージ３０の所定期間後）、切り換え弁１５が再び図示の閉止位置に調整される。容器４０が仕上げられる。
【００３４】
このとき、このブロー金型Ｂに関しては、引き続き、３６で最終的に減圧状態に達するまで、幾つかの圧力ステージＲ１、Ｒ２、Ｒ３を伴う回収段階３２が行なわれる。圧力ステージＲ１では、最初に切り換え弁１１を図１に示される閉止位置から通過位置へ切り換えることにより、例えばブロー金型Ｂまたは容器４０が約１６ｂａｒ〜２２ｂａｒの圧力になるまで、ブロー金型Ｂまたは容器４０からのエアが、開放する逆止弁１２’を介して、プレブローステージに割り当てられる容積部８内へ供給される。図２において、これは、矢印３７により示されるように、ここでは例えば約３０ｂａｒの圧力３３へ至る圧力ステージＲ１中に行なわれる。その後、切り換え弁１１が再び図１に示される閉止位置へ調整される。その後においてのみ、切り換え弁１３が図１に示される閉止位置から通過位置へ調整され、矢印３８によって示されるように、次に低い圧力ステージＲ２中に、ここでは約１３ｂａｒの圧力３４に至るまで、ブロー金型Ｂからのエアが容積部９へ供給される。矢印３７、３８が示すように、ここでは、容積部８への給気中に中間ブローステージ２９がいわば“スキップされる”。すなわち、給気は、給気が常に次の低いステージへ成し遂げられる従来技術の方法とは異なる方法で行なわれる。
【００３５】
ブロー金型Ｂから容積部８または容積部９へのエアの供給は、必ずしもそれぞれの圧力ステージＲ１、Ｒ２の全期間にわたって行なわれなければならないわけではなく、それぞれの容積部８、９内で所定の最適な圧力が確立される時点で適切に制限される。次の更に低い圧力ステージＲ３では、ブロー金型からのエアが、例えば、ここでは約５ｂａｒの圧力３５に至るまで切り換え弁２１を介して更なるコンシューマ１９のための更なる容積部２３へ供給される。最後に、３６において、ブロー金型Ｂからの残留エアは、切り換え弁２５を作動させることにより排気サイレンサ２６を介して大気中へ最終的に排出される。曲線部３１に沿って、容器４０は最終的に進展して４１で示されるように安定される。
【００３６】
プレブローステージ２８では、容器４０の最終的な結果４１における予備成形体Ｐのセグメント重量または材料の最終的分布が既に大部分生み出されており、随意的に最終的分布が中間ブローステージ２９で補われる。更なるブロー金型Ｂにおけるブロープロセスでは、同じ動作工程が時間をずらして引き続き行なわれ、それにより、容積部８が周期的に給気される。容積部８内では圧力変化が必然的に生じるが、特に周期的なエア供給に起因して、容積部には、該容積部８へのエアの優先供給によって十分に高い圧力ポテンシャルが形成され、それにより、比較的小さくなるように具現化され得るスロットル弁を介して、プレブローエアの圧力Ｐ１およびそれぞれの量に関してかなり一定したプレブローステージ状態を各プレブローステージに達成することができる。これは、容積部８内の高い圧力ポテンシャルのおかげにより、必然的な変動が、小さいスロットル弁１２を介してブロー金型Ｂに何ら影響を与えることができず、また、常流の可能性が存在しないくらいに非常に低いからである。
【００３７】
図３に示されるブロープロセスでは、曲線Ｃも、図１に破線で示される第２の実施形態の構成要素によってもたらされる。ここでは、動作工程が、例えばたった約３５ｂａｒの圧力Ｐ２’に至るまで少なくとも４つのブローステージによって行なわれ、また、回収段階３２’が、例えば５つの圧力ステージで制御される。矢印３７または３７’によって示されるように、ブロー金型Ｂからのエアは、前述した高い圧力ポテンシャルまたは十分に高い圧力を容積部８内に生み出すため、最も高い圧力ステージＲ１’中に、または次に低い圧力ステージＲ１中にプレブローステージに割り当てられる容積部８内に供給され、それにより、ほぼ一定のプレブローステージ状態を得ることができる。随意的に、矢印３７’に対応して、最初に、容積部９が給気され、その後においてのみ（矢印３７）、容積部８が給気される。いずれの場合にも、容積部８は、更に高圧のブローステージ、例えば３０’において容積部が給気される前に給気される。最も高圧のブローステージ３０’は、図１の切り換え弁１５’を図示の閉止位置から通過位置へ調整することにより制御される。回収段階３２’の第１および第２の圧力ステージＲ１’、Ｒ１は、例えば切り換え弁１１および／または１３を作動させることにより制御される一方、次に低い圧力ステージＲ２は、例えば切り換え弁１５を作動させることにより制御することができる。更なる圧力ステージおよび３６での吹き出しは、切り換え弁１５’、または切り換え弁２１または２１’をそれぞれ作動させることによって制御することができる。
【００３８】
圧力制御弁５、６、７、７’は、いずれの場合にも、ブロープロセスのための容積部８、９、１０、１０’で必要とされる圧力に調整される。例えば、プレブローステージ２８のための容積部８における圧力制御弁５は、ブロー金型Ｂから容積部８内へのエアの優先供給によって形成される圧力に対応して約２０ｂａｒ前後の圧力に調整される。装置Ｍを始動させるため、全ての容積部８、９、１０、１０’に関して主供給源３が使用される。
【００３９】
本発明は、主として少なくとも１つのより高圧のブローステージにおける容積部に給気するためにプレブローステージにおける容積部８に給気することも含むようになっている、すなわち、回収段階の最も低い使用可能な圧力ステージを全く使用せずに容積部８に給気し、少なくとも更に高圧のブローステージの容積部の給気を常にスキップするようになっている。これは、例えば容積部８または容積部９が最初に給気されるが、容積部８の後においてのみ容積部１０は給気されることを意味し得る。
【符号の説明】
【００４０】
３…主供給源、４、１７…分配部、５、６、７、７’…圧力制御弁、８、９、１０、１０’、２３、２３’…容積部、１１、１３、１５、２１、２１’、２５…切り換え弁、１２、１４、１６…スロットル弁、１２’、２２’…逆止弁、１８、２０…導管、１９…コンシューマ、２４…回転伝達リードスルー、２４’…回転装置部分、２６…排気サイレンサ、２８…プレブローステージ、２９…中間ブローステージ、３０…もっとも高圧のブローステージ、３０’…最終ブローステージ、３１…曲線部、３２、３２’…回収段階、３３、３４、３５…圧力、３７、３７、３８’…矢印、３９…延伸ロッド、４０…容器、Ｂ…ブロー金型、ＣＵ…ブロー制御器、Ｍ…装置、Ｓ…プログラムセクション、Ｐ…予備成形体、Ｐ１、Ｐｉ、Ｐ２、Ｐ２’…圧力、Ｒ１、Ｒ１’、Ｒ２、Ｒ３…圧力ステージ。
【図１】
2011056944.tif 000003
【図２】
2011056944.tif 000004
【図３】
2011056944.tif 000005
【外国語明細書】
2011056944000001.pdf